【誤訳訂正書】
【提出日】平成25年8月30日(2013.8.30)
【誤訳訂正１】
【訂正対象書類名】明細書
【訂正対象項目名】００２５
【訂正方法】変更
【訂正の内容】
【００２５】
最後に、装置の好ましいバリエーションにおいて、ＳＭＢの主要流体の額面上すなわち設計上（以下、「額面上」は「設計上」を意味する）の流量での流通を可能にする大径のバルブの数は、さらに低減させられ得る。
【誤訳訂正２】
【訂正対象書類名】特許請求の範囲
【訂正対象項目名】全文
【訂正方法】変更
【訂正の内容】
【特許請求の範囲】
【請求項１】
擬似移動床吸着によって、少なくとも１種の所望の化合物を、該化合物を含む混合物から分離するための装置であって、
少なくとも１つのカラムであって、複数の吸着剤床Aiに分割され、該複数の吸着剤床Aiは、少なくとも２種の供給流体：供給材料Ｆおよび脱着剤Ｄおよび少なくとも２種の抜き出し流体：ラフィネートＲおよび抽出液Ｅの順次的供給および抽出のための分配器／抽出器プレートPiによって分離され、Piは、床Aiとその直下の床Ai+1の間に配置される、カラムを含み、
該装置は、さらに、流体のネットワーク、すなわち、供給材料ネットワークF-Net、脱着剤ネットワークD-Net、ラフィネートネットワークR-Netおよび抽出液ネットワークE-Netを少なくとも含み、該ネットワークのそれぞれは、複数のラインを介してカラムに接続され、該ラインは、該流体の順次的供給または抜き出しのために、ネットワークバルブと称される二方向制御分離バルブ（VF、VD、VR、VE）を含み；
該カラムは、その高さの少なくとも主要部分にわたって、複数の重ね合わされた隣接したセクターSkに分割され、各セクターSkは、カラムセクターによって本質的に構成され、該カラムセクターは、２つの連続する吸着剤の床Ａｉと、該連続的吸着剤の床の直下に配置された２つの分配器／抽出器プレート（PiおよびPi＋１）とを本質的に含み；
セクターSkのそれぞれの分配器／抽出器プレートPiのそれぞれは、流体Ｆ、Ｄ、Ｒ、Ｅの順次的供給および抜き出しのための単一の共通ネットワークであり；
各セクターSkのプレートPiは、外側のバイパスラインLkを介してプレートPi＋１に一緒に接続され、該バイパスラインLkは、コネクタ（EMi）を介してSkの各プレートPiに接続され、該コネクタ（EMi）は、流体Ｆ、Ｄ、Ｒ、ＥのPiへの順次的供給またはPiからの抜き出しのために、プレートバルブViと称される、プレートPiに属する単一の二方向制御分離バルブを含み；
該バイパスラインLkのそれぞれは、Lk中を流通する流量を制限するための少なくとも１つの制御手段を含み、これは、ラインLk上に設置され；
セクターSkのそれぞれのバイパスラインLkは、単一のラインを介してネットワークF-Net、D-Net、R-NetおよびE-Netのそれぞれに接続され、該単一のラインは、対応する流体Ｆ、Ｄ、Ｒ、Ｅを順次的にセクターSkに供給しまたはそのセクターSkから抜き出すために単一のネットワークバルブ、それぞれ、VF、VD、VR、VEを含み；
該装置は、少なくとも２つの重ね合わされた隣接するセクターSkおよびSk+1を含み、Skは、プレートPi-1およびPiを含み、該プレートPi-1およびPiは、外側バイパスラインLkを介して接続され、該外側バイパスラインLkは、２つのコネクタを介してカラムに接続され、該２つのコネクタは、それぞれ、プレートバルブVi-1およびViを含み、Sk+1は、プレートPi+1およびPi+2を含み、該プレートPi+1およびPi+2は、外側バイパスラインLk+1を介して接続され、該外側バイパスラインLk+1は、２つのコネクタを介してカラムに接続され、該２つのコネクタは、それぞれ、プレートバルブVi+1およびVi+2を含み、カラム上の該Skの２つのコネクタは、それらの間に、カラムの軸に対して角オフセット０または２０°以下を有し、カラム上のSk+1の２つのコネクタは、それらの間に、カラムの軸に対して角オフセット０または２０°以下を有し、Skのコネクタは、コネクタSk+1と、平均角オフセット７０〜１１０°を有し、任意の２つの隣接する重ね合わされたセクターは、それらの間に、それらのコネクタの平均角オフセット７０〜１１０°を有する、装置。
【請求項２】
請求項１に記載の装置であって、頭部プレートを含むカラム頭部および場合によっては下部床および／または下部プレートを含むカラム底部を除いてカラム全体は、２つのプレートの複数の重ね合わされたセクターによって構成され、単一のセクターSkの２つのコネクタは、それらの間に、カラムの軸に対して角オフセット０または２０°以下を有し、任意の２つの隣接する重ね合わされたセクターは、それらの間に、それらのコネクタの平均角オフセット７０〜１１０°を有する、装置。
【請求項３】
請求項１または２に記載の装置であって、任意のセクターSkのコネクタは、それらの間に、実質的に０の角オフセットを有し、任意の２つの隣接する重ね合わされたセクターは、それらの間に、実質的に９０°のそれらのコネクタの平均角オフセットを有する、装置。
【請求項４】
請求項１〜３のいずれか１つに記載の装置であって、セクターSkの各プレートPiは、一方向に平行なセグメントを有する複数のパネルDMEi,jにさらに分割され、該パネルDMEi,jは、供給流体を供給し、抜き出し流体を抽出するために単一のコネクタ（EMi）に接続され、セクターSkの各プレートについて、単一のセクターSkのプレートの平行セグメントパネルの方向は、それらの間に、角オフセット０または２０°以下を有し、セクターSkのプレートの平行セグメントパネルの平均の方向は、隣接セクターSk+1またはSk-1のパネルの方向に対して角オフセット７０〜９０°（限界値を含む）を有する、装置。
【請求項５】
請求項１〜３のいずれか１つに記載の装置であって、セクターSkの各プレートPiは、一つの方向に平行なセグメントを有する複数のパネルDMEi,jにさらに分割され、供給流体の供給および抜き出し流体の抽出のために単一のコネクタ（EMi）に接続され、単一のセクターSkまたは２つの重ね合わされたセクターに属する２つの重ね合わされた隣接するプレートの各集合について、プレートの１つの平行セグメントの該方向は、他方のプレートの平行セグメントの方向と角オフセット７０〜９０°（限界値を含む）を有する、装置。
【請求項６】
請求項１〜５のいずれか１つに記載の装置であって、バイパスラインLkは、Lkに接続されたネットワークバルブの最も大きい開口径に少なくとも等しい内径を有する、装置。
【請求項７】
請求項１〜６のいずれか１つに記載の装置であって、場合により頭部プレートを含むカラム頭部を除くカラム全体は、前記隣接する重ね合わされたセクターSkによって構成され、該カラムは、吸着剤の下部床Anに対応するプレートPnに取り込まれる下部出口ラインを含む、装置。
【請求項８】
請求項１〜７のいずれか１つに記載の装置であって、前記バイパスラインLkのそれぞれは、Lk中を流通する流れを制限するための少なくとも１つの制御手段を含み、これは、SkのプレートPiのプレートバルブVi周りのバイパスとして設置される、装置。
【請求項９】
請求項８に記載の装置であって、前記プレートバルブViの周りのバイパスとして設置されるLk中を流通する流れを制限するための前記手段は、Viの径より小さい径の開口を有する制御バルブを含む、装置。
【請求項１０】
請求項１〜９のいずれか１つに記載の装置を用いる擬似移動床吸着によって生成物を分離するための方法であって、１サイクルの間、ラインLkのそれぞれは、流体Ｆ、Ｄ、Ｒ、Ｅをそれらの設計上の流量で、直列のプレートバルブPiおよびネットワークバルブVFk、VDk、VRk、VEkの１つを介してSkのプレートPiのそれぞれにまたはそこから流通させるために順次的に用いられ、Lkは、１サイクルの間、流体Ｆ、Ｄ、Ｒ、Ｅのそれぞれによって、その長さの全体にわたって用いられる、方法。
【請求項１１】
請求項１０に記載の方法であって、バイパスラインLkのそれぞれの少なくとも一部の内部の洗い流しは、Lkに接続されたネットワークバルブのいずれも開でない場合に行われ、Lkの全ての内部の洗い流しは、Lkに接続されたネットワークバルブが開である場合に停止させられる、方法。
【請求項１２】
請求項１０または１１に記載の方法であって、Lkの内部の洗い流しは、Skの上部に位置するプレートPiからSkの下部に位置するプレートPi+1またはPi+2の方に向けて、Skが前記流体ネットワークの１つに接続されておらず、Skに接続されたネットワークバルブの１つが前記流体の１つをプレートPiに供給またはプレートPiから抜き出すために開である期間の直前である任意の期間において行われる、方法。
【請求項１３】
請求項１０〜１２のいずれか１つに記載の方法であって、少なくとも２つのバイパスラインLkが洗い流される、方法。
【請求項１４】
芳香族炭化水素を、８個の炭素原子を本質的に含有し、前記炭化水素を含む芳香族炭化水素の供給材料から分離するための請求項１０〜１３のいずれか１つに記載の方法。
【請求項１５】
８個の炭素原子を本質的に含有する芳香族炭化水素の供給材料からパラキシレンを分離するための請求項１４に記載の方法。
【請求項１６】
８個の炭素原子を本質的に含有する芳香族炭化水素の供給材料からメタキシレンを分離するための請求項１４に記載の方法。
【請求項１７】
少なくとも１種の直鎖パラフィン炭化水素を、該炭化水素を含む炭化水素供給材料から分離するための請求項１０〜１３のいずれか１つに記載の方法。